(57)【要約】【課題】レーベル面に可視画像を記録可能な光ディスクのレーベル面に可視画像を高速に記録することのできる光ピックアップおよび光ディスク装置を提供する。【解決手段】レーザダイオードと対物レンズの間の光路に液晶レンズを配置し、レーベル記録層に可視画像を記録するときに、液晶制御回路によって液晶レンズに電圧を印加し、対物レンズに対して適当に集光することによって、液晶レンズと対物レンズとを組み合わせて実効開口数を減少させるように変化させ、レーザ光のスポットサイズを大きくし、レーベル記録層への高速記録を可能とする。【選択図】  図１
2009059435.tif 000002
【特許請求の範囲】
【請求項１】
レーベル面にレーザ光を集光することにより可視画像を記録可能なレーベル記録層を有する光ディスクの前記レーベル記録層に可視画像を記録可能な光ピックアップであって、
レーザ光を出射する光源と、
前記レーザ光を前記光ディスクに集光し、前記光ディスクからの反射光を受光する対物レンズと、
前記光源と前記対物レンズの間の光路に配置され、前記対物レンズと組み合わせることによって前記対物レンズの実効開口数を変化させる液晶レンズと
を有することを特徴とする光ピックアップ。
【請求項２】
前記液晶レンズは、前記レーベル記録層に可視画像を記録するときに、前記実効開口数を減少させることを特徴とする請求項１記載の光ピックアップ。
【請求項３】
レーベル面にレーザ光を集光することにより可視画像を記録可能なレーベル記録層を有する光ディスクの前記レーベル記録層に可視画像を記録可能であり、前記光ディスクの情報記録層に情報を記録または再生可能な光ピックアップであって、
レーザ光を出射する光源と、
前記レーザ光を前記光ディスクに集光し、前記光ディスクからの反射光を受光する対物レンズと、
前記光源と前記対物レンズの間の光路に配置され、前記対物レンズと組み合わせることによって前記対物レンズの実効開口数を変化させる集光レンズと
を有することを特徴とする光ピックアップ。
【請求項４】
前記集光レンズは、前記レーベル記録層に可視画像を記録するときに、前記光源と前記対物レンズの間の光路に配置され前記実効開口数を減少させることを特徴とする請求項３記載の光ピックアップ。
【請求項５】
前記集光レンズは、前記レーベル記録層に可視画像を記録するときに、前記光源と前記対物レンズの間の光路に配置され、前記情報記録層に情報を記録または再生するときに、前記光源と前記対物レンズの間の光路外に配置されることを特徴とする請求項３記載の光ピックアップ。
【請求項６】
レーベル面にレーザ光を集光することにより可視画像を記録可能なレーベル記録層を有する光ディスクの前記レーベル記録層に可視画像を記録可能であり、前記光ディスクの情報記録層に情報を記録または再生可能な光ディスク装置であって、
レーザ光を出射する光源と、前記レーザ光を前記光ディスクに集光し、前記光ディスクからの反射光を受光する対物レンズと、前記光源と前記対物レンズの間の光路に配置され、前記対物レンズと組み合わせることによって前記対物レンズの実効開口数を変化させる液晶レンズとを有する光ピックアップと、
前記液晶レンズに電圧を印加して前記液晶レンズの屈折率を制御する液晶制御手段と
を有することを特徴とする光ディスク装置。
【請求項７】
前記液晶制御手段は、前記レーベル記録層に可視画像を記録するときに、前記実効開口数を減少させるように前記屈折率を変化させることを特徴とする請求項６記載の光ディスク装置。
【請求項８】
レーベル面にレーザ光を集光することにより可視画像を記録可能なレーベル記録層を有する光ディスクの前記レーベル記録層に可視画像を記録可能であり、前記光ディスクの情報記録層に情報を記録または再生可能な光ディスク装置であって、
レーザ光を出射する光源と、前記レーザ光を前記光ディスクに集光し、前記光ディスクからの反射光を受光する対物レンズと、前記光源と前記対物レンズの間の光路に配置され、前記対物レンズと組み合わせることによって前記対物レンズの実効開口数を変化させる集光レンズとを有する光ピックアップと、
前記集光レンズを、前記レーベル記録層に可視画像を記録するときに、前記光源と前記対物レンズの間の光路に配置させ、前記情報記録層に情報を記録または再生するときに、前記光源と前記対物レンズの間の光路外に配置させる集光レンズ移動制御手段と
を有することを特徴とする光ディスク装置。
【発明の詳細な説明】
【技術分野】
【０００１】
本発明は、レーベル面にレーザ光を集光することにより可視画像を記録可能なレーベル記録層を有する光ディスクのレーベル記録層に可視画像を記録し、光ディスクの情報記録層に情報を記録または再生する光ピックアップ及び光ディスク装置に関する。
【背景技術】
【０００２】
レーザ光を用いて非接触で情報が記録可能で、あるいは既に記録されている情報を再生できる光ディスクおよびその光ディスクに情報を記録し、または光ディスクから情報を再生する光ディスク装置が実用化されて久しい。ＣＤ（Compact Disc）規格やＤＶＤ（Digital Versatile Disk）規格と呼ばれる複数種類の記録密度の光ディスクが既に広く普及している。
【０００３】
近年、青色あるいは紫色の波長のレーザ光を用いて情報を記録することにより、さらに記録密度が高められた超高密度光ディスクであるＨＤ ＤＶＤ(High Definition Digital Versatile Disk)も実用化されている。さらに光ディスクのレーベル面に絵や文字と言った画像を記録できるようにしたライトスクライブ（Light Scribe（登録商標））記録も実用化されている。
【０００４】
このような多種の光ディスクのそれぞれについて、光ディスク装置をそれぞれ用意することは、コスト面や設置場所の点で非効率的であり、複数の規格の光ディスクに対して情報を記録し、または記録されている情報を再生し、もしくは既に記録されている情報を消去可能であることが望ましい。
【０００５】
既に広く普及しているＣＤ規格の光ディスクへの情報の記録や同光ディスクからの情報の再生および既に記録されている情報の消去に用いられるレーザ光の波長は、例えば７８０ｎｍである。ＤＶＤ規格の光ディスクにおけるレーザ光の波長は、例えば６５０ｎｍであり、また、ＨＤ ＤＶＤ規格の光ディスクにおいては、４００ｎｍ〜４１０ｎｍである。
【０００６】
光ディスク装置は、光ディスク（記録媒体）の所定の位置に、所定の波長のレーザ光を照射する送光系と、光ディスクで反射されたレーザ光を検出する受光系と、送光系および受光系の動作を制御する機構制御（サーボ）系と、送光系に対して記録すべき情報や消去信号を供給し、受光系により検出された信号から記録されている情報を再生する信号処理系等を含む。
【０００７】
送光系および受光系は、半導体レーザ素子と、半導体レーザ素子からのレーザ光を光ディスクの記録面に集光するとともに光ディスクで反射されたレーザ光を捕獲する対物レンズとを含み、光ピックアップと称されるユニットとして一体化されている。しかし、複数の規格の光ディスクの情報の記録または再生に対して、異なる波長のレーザ光毎に光ピックアップをそれぞれ用意することは、光ディスク装置の大きさやコストを増大させることに他ならない。
【０００８】
さて、レーベル面への画像記録において、レーベル記録層にレーザ光を集光することによってレーベル記録層を変色させることによって画像を記録するが、現状ではレーベル記録層のレーザ光に対する記録感度が低いことから、レーザ光の記録パワーが十分でなく高速で記録できない。例えば、レーベル面全体に亘って画像を記録する場合に約２５分を要することが実状である。前述したように光ピックアップは、複数の規格に対応させる場合に青紫色レーザを使用するＨＤ ＤＶＤ等の規格に対応させるために、ＣＤ用の赤外レーザの送光効率は低いものとなり、記録パワーが不足し、その結果、記録品位を確保するために記録スピードを遅くする必要が生じレーベル記録について更に時間を要することになる。
【０００９】
一方、レーベル面へ画像を記録する際、例えばライトスクライブによる記録においては、レーベル面側を光ピックアップに対向するように光ディスクを回転させるターンテーブルに装着するが、この煩雑さを避けるために、情報記録面を光ピックアップに対向するように装着したまま、レーベル面に記録する技術が考案されている。この場合、レーベル記録層へ記録するためのレーザ光のスポット径を大きくするために光ピックアップの対物レンズとレーザダイオードの間に色フィルタアパーチャを挿入して開口数を小さくすることが考案されている。（特許文献１参照。）。
【特許文献１】特開２００６−１３４４２３号公報
【発明の開示】
【発明が解決しようとする課題】
【００１０】
ライトスクライブによるレーベル面への記録において、高速に記録することが望まれている。そのためには、レーザ光のスポットサイズを大きくすることや光ディスクの回転数を大きくすることが考えられる。レーベル記録層上でのレーザ光のスポットサイズを大きくするには、フォーカスサーボをディフォーカス状態で行うことが考えられるが、ディフォーカス状態での記録はサーボが不安定となり、記録品位を向上させることが難しい。またライトスクライブによるレーベル面への記録においては、光ディスクの基板を透過させずに基板表面のレーベル記録層に記録することとなり、球面収差の影響を受けてスポット形状が良くない状態となり易いので更にフォーカスサーボ系が不安定となり易い。
【００１１】
レーベル記録層上でのレーザ光のスポットサイズを大きくする他の方法には、光ピックアップの対物レンズとレーザダイオードの間にアパーチャを挿入して開口数（ＮＡ、numerical aperture）を小さくすることが考えられる。しかし、アパーチャを挿入することでレーザ光の送光効率が低下し、結果的に記録パワーが低下してしまい、高速記録ができない状態となり実用的ではない。従って記録パワーを減少させないで、スポットサイズを大きくすることが望まれる。さらに記録パワーを減少させないで、スポットサイズを大きくする状態がレーベル面へ記録するときだけで、情報記録面に対して情報の記録再生を行う際はスポットサイズを大きくしない通常の状態であることが必要となる。
【００１２】
この発明は、以上の点に鑑みてなされたもので、レーベル面に可視画像を記録可能な光ディスクのレーベル面に可視画像を高速に記録することのできる光ピックアップおよび光ディスク装置を提供することを目的とする。
【課題を解決するための手段】
【００１３】
上記目的を達成するために、本発明の光ピックアップは、レーベル面にレーザ光を集光することにより可視画像を記録可能なレーベル記録層を有する光ディスクの前記レーベル記録層に可視画像を記録可能な光ピックアップであって、レーザ光を出射する光源と、前記レーザ光を前記光ディスクに集光し、前記光ディスクからの反射光を受光する対物レンズと、前記光源と前記対物レンズの間の光路に配置され、前記対物レンズと組み合わせることによって前記対物レンズの実効開口数を変化させる液晶レンズとを有することを特徴とする。
【００１４】
また、本発明の光ピックアップは、レーベル面にレーザ光を集光することにより可視画像を記録可能なレーベル記録層を有する光ディスクの前記レーベル記録層に可視画像を記録可能であり、前記光ディスクの情報記録層に情報を記録または再生可能な光ピックアップであって、レーザ光を出射する光源と、前記レーザ光を前記光ディスクに集光し、前記光ディスクからの反射光を受光する対物レンズと、前記光源と前記対物レンズの間の光路に配置され、前記対物レンズと組み合わせることによって前記対物レンズの実効開口数を変化させる集光レンズとを有することを特徴とする。
【００１５】
また、本発明の光ディスク装置は、レーベル面にレーザ光を集光することにより可視画像を記録可能なレーベル記録層を有する光ディスクの前記レーベル記録層に可視画像を記録可能であり、前記光ディスクの情報記録層に情報を記録または再生可能な光ディスク装置であって、レーザ光を出射する光源と、前記レーザ光を前記光ディスクに集光し、前記光ディスクからの反射光を受光する対物レンズと、前記光源と前記対物レンズの間の光路に配置され、前記対物レンズと組み合わせることによって前記対物レンズの実効開口数を変化させる液晶レンズとを有する光ピックアップと、前記液晶レンズに電圧を印加して前記液晶レンズの屈折率を制御する液晶制御手段とを有することを特徴とする。
【００１６】
レーベル面にレーザ光を集光することにより可視画像を記録可能なレーベル記録層を有する光ディスクの前記レーベル記録層に可視画像を記録可能であり、前記光ディスクの情報記録層に情報を記録または再生可能な光ディスク装置であって、レーザ光を出射する光源と、前記レーザ光を前記光ディスクに集光し、前記光ディスクからの反射光を受光する対物レンズと、前記光源と前記対物レンズの間の光路に配置され、前記対物レンズと組み合わせることによって前記対物レンズの実効開口数を変化させる集光レンズとを有する光ピックアップと、前記集光レンズを、前記レーベル記録層に可視画像を記録するときに、前記光源と前記対物レンズの間の光路に配置させ、前記情報記録層に情報を記録または再生するときに、前記光源と前記対物レンズの間の光路外に配置させる集光レンズ移動制御手段とを有することを特徴とする。
【発明の効果】
【００１７】
本発明によれば、レーベル面に可視画像を記録可能な光ディスクのレーベル面に可視画像を高速に記録することができ、レーベル記録時間を短縮することが可能である。
【発明を実施するための最良の形態】
【００１８】
以下本発明の実施例について図面を参照しながら説明する。
【実施例１】
【００１９】
図１は、本発明の実施例１に係る光ディスク装置を示すブロック図である。光ディスク２はＣＤ系、ＤＶＤ系、またはＨＤ ＤＶＤ系の再生専用あるいは記録型光ディスクである。例えばＤＶＤ系では、再生専用型のＤＶＤ−Ｖｉｄｅｏ、ＤＶＤ−ＲＯＭ(Read Only Memory)、記録型のＤＶＤ−Ｒ（Recordable）／ＲＷ（Rewritable）／ＲＡＭ（Random Access Memory）等がある。また、光ディスク２は、ディスク基板の一方の側に情報記録面を有し、他方の側にレーベル面を有する。レーベル面側に可視画像を記録可能なレーベル記録領域を有する。光ディスク２はディスクモータ３によって回転駆動される。ディスクモータ３はディスクモータ制御回路４によって制御されている。
【００２０】
光ディスク２に対する情報の記録、再生は、光ピックアップ５によって行われる。光ピックアップ５には、対物レンズ６が設けられており、対物レンズ６はフォーカシングアクチュエータ７の駆動によりフォーカスシング方向（レンズの光軸方向）への移動が可能で、またトラッキングアクチュエータ８の駆動によりトラッキング方向（レンズの光軸と直交する方向で光ディスクの径方向）への移動が可能である。
【００２１】
変調回路９は情報記録時にホスト装置３０からインターフェース回路２９を介して供給されるデータを変調し、変調されたデータをレーザ制御回路１０へ提供する。レーザ制御回路１０は情報記録時（マーク形成時）に、変調回路９から供給される変調されたデータに基づいて、書き込み用信号を光ピックアップ５内のレーザダイオード１１に供給する。
【００２２】
光源であるレーザダイオード１１は、波長が約７８０ｎｍ（nano meter）のＣＤ用のレーザダイオード、波長は約６５０ｎｍのＤＶＤ用のレーザダイオード、波長が約４０５ｎｍのＨＤ ＤＶＤ用のレーザダイオードがあり、光ディスク装置に装着された光ディスクの種類によって使い分けられ、レーザ制御回路１０から供給される信号に応じて選択されてレーザ光を出射する。
【００２３】
レーザダイオード１１から発せられるレーザ光は、偏光ビームスプリッタ（ＰＢＳ）１２、コリメートレンズ１３、液晶レンズ１４、１／４波長板１５、対物レンズ６を介して光ディスク２上に照射される。レーザダイオード１１から発せられるレーザ光の光ディスク２からの反射光は、対物レンズ６、１／４波長板１５、液晶レンズ１４、コリメートレンズ１３、偏光ビームスプリッタ（ＰＢＳ）１２を介して光検出器１６に導かれる。光検出器１６からの出力信号は、ＲＦアンプ１９へ供給される。
【００２４】
ＲＦアンプ１９は、光検出器１６からの検出信号を処理し、ジャストフォーカスからの誤差を示すフォーカス誤差信号（ＦＥ信号）、レーザ光のビームスポット中心とトラック中心との誤差を示すトラッキング誤差信号（ＴＥ信号）、および再生信号（ＲＦ信号）を生成し、生成されたＦＥ信号、ＴＥ信号、およびＲＦ信号をＡ／Ｄ変換器２０に供給する。ＲＦアンプ１９は、光検出器１６からの検出信号を処理する際、使用されるレーザダイオード１１の種類に応じて信号を生成する時のパラメータをそれぞれの適切な値に設定して上記信号を生成する。Ａ／Ｄ変換器２０から出力された信号はバス２５を介してＣＰＵ（Central Processing Unit）２６等に供給される。
【００２５】
フォーカス・トラッキング制御回路２１は、バス２５を介して供給されたＦＥ信号及びＴＥ信号に応じてフォーカス制御信号及びトラッキング制御信号を生成し、フォーカシングアクチュエータ７及びトラッキングアクチュエータ８に出力し対物レンズ６を駆動する。これにより、レーザ光が光ディスク２の情報記録面上に常時ジャストフォーカスとなるフォーカシングサーボ、及びレーザ光が光ディスク２上に形成されたトラック上を常にトレースするトラッキングサーボが行われる。
【００２６】
ＲＦ信号は、Ａ／Ｄ変換器２０でデジタル信号に変換されチャネルビットのデータとしてデータ再生回路２２に供給される。データ再生回路２２は、Ａ／Ｄ変換器２０から供給されたチャネルビットの信号とＰＬＬ（Phase Locked Loop）回路２３から供給される同期信号に基づいて再生信号を生成し、生成した再生信号を復号化し、バス２５を介してエラー訂正回路２４に出力する。ＰＬＬ回路２３は再生信号を生成する際に必要な同期信号を発生する回路である。データ再生回路２２で再生された再生データは、付与されているエラー訂正コードを用いてエラー訂正回路２４でエラー訂正を行った後、インターフェース回路２９を介してホスト装置３０に出力される。
【００２７】
液晶制御回路１７は、レーベル面に画像を記録するときに、液晶レンズ１４に印加する電圧を制御する。液晶レンズ１４に電圧を印加することによって液晶レンズ１４の屈折率を変化させ、液晶レンズ１４と対物レンズ６によって構成される実効的な開口数（ＮＡ、numerical aperture）を減少させる機能を有する。
【００２８】
ディスクモータ制御回路４、変調回路９，レーザ制御回路１０、液晶制御回路１７、Ａ／Ｄ変換回路２０、フォーカス・トラッキング制御回路２１、データ再生回路２２、ＰＬＬ回路２３、エラー訂正回路２４等は、バス２５を介してＣＰＵ（Central Processing Unit）２６によって制御される。
【００２９】
ＣＰＵ２６はインターフェース回路２９を介してホスト装置３０から供給される動作コマンドに従って、この光ディスク記録再生装置１を総合的に制御する。また、ＣＰＵ２６は、ＲＡＭ（Random Access Memory）２７を記録再生時のバッファメモリ等の作業エリアとして使用し、ＲＯＭ（Read Only Memory）２８に記憶されたプログラムに従った所定の制御を行う。
【００３０】
光ディスク２は基板の一方の側に情報記録面を有し、他方の側にレーベル面を有する。レーベル面側に可視画像を記録可能なレーベル記録領域を有しており、レーベル記録領域は光ディスク２の外径と同心円で形成されている。レーベル記録領域は光ディスク装置１の半導体レーザ１１から照射されるレーザ光を用いて印刷が可能な領域である。レーベル記録領域にはレーベル記録層が形成されている。レーベル記録層にレーザ光を集光することでレーベル記録層を変色させ、画像を記録する
【００３１】
レーベル記録層上でのレーザ光のスポットサイズを大きくするために、液晶レンズ１４と対物レンズ６によって構成される実効的なＮＡを減少させる。液晶レンズ１４は、光源であるレーザダイオード１１と対物レンズ６の間の光路に配置され、対物レンズ６と組み合わせることによって対物レンズ６の実効開口数を変化させる機能を有する。
【００３２】
ＣＰＵ２６は、ホスト装置３０からレーベル面への記録コマンドを受け取ると、液晶制御回路１７を介して液晶レンズ１４に電圧を印加し、屈折率を変化させる。液晶レンズ１４によってレーザ光は適当に集光され、対物レンズ６に入射する光の角度が浅くなり、実効ＮＡを減少させることができる。液晶レンズ１４を使用してＮＡを変化させる場合は、アパーチャのように光が遮られる部分がないため、送光効率が減少しない。
【００３３】
レーザ光のスポットサイズはＮＡに反比例するので、実効ＮＡを小さくすることによってスポットサイズを大きくすることができる。また、球面収差はＮＡの４乗に比例する為、ＮＡを小さくすることにより更にレーベル記録層上のスポット形状の品位は格段に向上することになる。ＣＤ系の情報記録時にはＮＡ＝０．４５程度、レーベル記録層への記録時にはＮＡ＝０．３程度に変更できることが望ましい。
【００３４】
光ディスクの情報記録面に対して情報を記録再生する場合には、液晶制御回路１７は、液晶レンズ１４に電圧を印加しない。この場合には、ＮＡは変化することなく、スポットサイズが大きくなることはない。レーベル面に記録するレーザダイオードと情報記録面に記録再生するレーザダイオードが同じであっても問題とならない。
【００３５】
以上のように、レーザダイオード１１と対物レンズ６の間の光路に液晶レンズ１４を配置し、レーベル記録層に可視画像を記録するときに、液晶制御回路１７によって液晶レンズ１４に電圧を印加し、対物レンズ６に対して適当に集光することによって、液晶レンズ１４と対物レンズ６とを組み合わせて実効開口数を減少させるように変化させる。そのことによってレーザ光のスポットサイズを大きくし、レーベル記録層への高速記録を可能とする。
【実施例２】
【００３６】
図２は本発明の実施例２に係る光ディスク装置を示すブロック図である。この実施例２の各部について、図１に示す実施例１の光ディスク装置の各部と同一部分は同一符号である。この実施例２が実施例１と異なる点は、液晶レンズ１４を集光レンズ３１に代えて、集光レンズ３１を物理的に移動する集光レンズ移動手段３２を加え、液晶制御回路１７に代えて集光レンズ移動制御回路３３を構成していることにある。
【００３７】
この構成においても集光レンズ３１と対物レンズ６とで実効ＮＡを減少させることが可能である。レーベル記録層に可視画像を記録するときに、レーザダイオード１１と対物レンズ６の間の光路に集光レンズ３１を配置し、対物レンズ６に対して適当に集光することによって、集光レンズ３１と対物レンズ６とを組み合わせで実効開口数を減少させるようにすることができる。そのことによってレーザ光のスポットサイズを大きくし、レーベル記録層への高速記録を可能とする。
【００３８】
集光レンズ３１は液晶レンズ１４と異なり、常に一定の集光特性をもっているので、レーベル記録層に可視画像を記録するときに、レーザダイオード１１と対物レンズ６の間の光路に配置され、光ディスク２の情報記録層に情報を記録または再生するときには、レーザダイオード１１と対物レンズ６の間の光路外に配置されるようにしなければならない。集光レンズ３１を物理的に移動する手段が集光レンズ移動手段３２であり、集光レンズ移動手段３２を制御するのが集光レンズ移動制御回路３３である。集光レンズ移動制御回路３３はＣＰＵ２６によって制御される。
【００３９】
図３は集光レンズ移動手段３２の一例を示す模式図である。集光レンズ３１は光路上に配置されるため所定の位置精度が要求される。集光レンズ３１はレンズ枠３５に接着等により固定されている。レンズ枠３５は実線と一転鎖線で示される場所を移動可能となっている。レンズ枠３５を移動するのはソレノイド３６とソレノイド３６のプランジャ３７である。レンズ枠３５とプランジャ３７は接着により固定されている。集光レンズ３１が光路上にあるときレンズ枠３５は光ピックアップ５のベース部材３９に設けられた位置決め溝４０に嵌まり込むようになって位置決めされる。なお、レンズ枠３５とベース部材３９を断面図で示している。
【００４０】
光ディスク２の情報記録層に情報を記録または再生するときには、レーザダイオード１１と対物レンズ６の間の光路外に配置されるようにするが、そのときはソレノイド３６の吸引によりプランジャ３７がソレノイド３６側に引き込まれ、レンズ枠３５が一転鎖線の位置で停止する。ソレノイド３６は自己保持型であり、光路外の配置が保持される。
【００４１】
レーベル記録層に可視画像を記録するときには、集光レンズ移動制御回路３３から開放信号が送信され、ソレノイド３６はプランジャ３７を開放する。プランジャ３７はバネ３８によってソレノイド３６から引き出され、レンズ枠３５は光路上の位置に位置決めされる。
【００４２】
上記では集光レンズ移動手段３２にソレノイドを用いたが、ステップモータ等の回転動力を発生する部品を用いた機構としてもよい。
【００４３】
以上のようにレーザダイオード１１と前記対物レンズ６の間の光路に集光レンズ３１を配置し、レーベル記録層に可視画像を記録するときに、対物レンズ６に対して適当に集光することによって、集光レンズ３１と対物レンズ６とを組み合わせて実効開口数を減少させるように変化させる。そのことによってレーザ光のスポットサイズを大きくし、レーベル記録層への高速記録を可能とすることができる。
【図面の簡単な説明】
【００４４】
【図１】本発明の実施例１に係る光ディスク装置を示すブロック図。
【図２】本発明の実施例２に係る光ディスク装置を示すブロック図。
【図３】集光レンズ移動手段の一例を示す模式図。
【符号の説明】
【００４５】
１  光ディスク装置
２  光ディスク
３  ディスクモータ
４  ディスクモータ制御回路
５  光ピックアップ
６  対物レンズ
７  フォーカシングアクチュエータ
８  トラッキングアクチュエータ
９  変調回路
１０  レーザ制御回路
１１  レーザダイオード
１２  偏光ビームスプリッタ
１３  コリメートレンズ
１４  液晶レンズ
１５  １／４波長板
１６  光検出器
１７  液晶制御回路
１９  ＲＦアンプ
２０  Ａ／Ｄ変換回路
２１  フォーカス・トラッキング制御回路
２２  データ再生回路
２３  ＰＬＬ回路
２４  エラー訂正回路
２５  バス
２６  ＣＰＵ
２７  ＲＡＭ
２８  ＲＯＭ
２９  インターフェース回路
３０  ホスト装置
３１  集光レンズ
３２  集光レンズ移動手段
３３  集光レンズ移動制御回路
３５  レンズ枠
３６  ソレノイド
３７  プランジャ
３８  バネ
３９  ベース部材
４０  位置決め溝
【図１】
2009059435.tif 000003
【図２】
2009059435.tif 000004
【図３】
2009059435.tif 000005